【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
使用を割り当てられた端末装置を使用する各ユーザに付けられたＩＤタグと、
このＩＤタグの情報を非接触で検出するタグ検出装置と、
各ユーザが使用を割り当てられた端末装置と各ユーザに付けられたＩＤタグに関する情報を管理する管理テーブルと、
前記タグ検出装置によって検出されたＩＤタグに基づいて前記管理テーブルを参照してユーザが持つ端末装置を特定する端末特定手段と、
前記タグ検出装置による前記ＩＤタグの検出期間中に前記端末特定手段によって特定された端末装置上で操作されたデータを共有用として保持するデータ保持手段と、
このデータ保持手段に保持されたデータを当該ユーザの近くに存在する他のユーザが持つ端末装置との間で共有化する共有化制御手段と
を具備したことを特徴とするデータ共有化システム。
【請求項２】
前記タグ検出装置によって検出されたＩＤタグを持つユーザの端末装置を共有先として設定する共有設定手段を備え、
前記共有化制御手段は、前記共有設定手段によって共有先として設定された端末装置のデスクトップを他の端末装置との間で共有化することを特徴とする請求項１記載のデータ共有化システム。
【請求項３】
前記データ保持手段に保持されたデータに対してアクセス許可ルールを設定するアクセス許可ルール設定手段を備え、
前記共有化制御手段は、前記データ保持手段に保持されたデータを有する端末装置に他の端末装置がアクセスした際に、前記アクセス許可ルール設定手段によって設定されたアクセス許可ルールに基づいて当該データの共有化を制御することを特徴とする請求項１記載のデータ共有化システム。
【請求項４】
操作履歴の表示を指示する表示指示手段を備え、
前記共有化制御手段は、前記表示指示手段による操作履歴の表示指示に従って、前記データ保持手段を参照して、所定期間内に操作されたデータの履歴をリスト化して表示することを特徴とする請求項１記載のデータ共有化システム。
【請求項５】
各ユーザのスケジュールを管理するスケジュール管理テーブルを備え、
前記共有化制御手段は、前記タグ検出装置によって検出されたＩＤタグに基づいて同じ場所に存在する各ユーザを特定して、これらのユーザのスケジュールを前記スケジュール管理テーブルから読み出し、現場面に関するスケジュールが未登録のユーザに当該スケジュールを登録することを特徴とする請求項１記載のデータ共有化システム。
【請求項６】
前記共有化制御手段は、各ユーザが参照したデータを当該スケジュールの関連データとして前記スケジュール管理テーブルに登録することを特徴とする請求項１記載のデータ共有化システム。
【請求項７】
前記タグ検出装置によって検出されたＩＤタグに基づいて、互いに近くにいる頻度の高いユーザのペアを共有対象として記憶する共有対象記憶手段を備え、
前記共有化制御手段は、前記共有対象記憶手段に記憶されたユーザのペアに対し、互いの端末装置が持つデータへのアクセス権限を与えることを特徴とする請求項１記載のデータ共有化システム。
【請求項８】
各ユーザが使用を割り当てられた端末装置と各ユーザに付けられたＩＤタグに関する情報を管理するサーバ装置にネットワークを介して接続された端末装置であって、
自端末の使用者以外のユーザに付けられたＩＤタグを検出するタグ検出手段と、
このタグ検出手段によるＩＤタグの検出期間中に操作されたデータを共有用として保持するデータ保持手段と、
前記タグ検出手段によって検出されたＩＤタグを持つユーザの情報を前記サーバ装置に問い合わせて取得するユーザ情報取得手段と、
自端末の使用者と前記タグ検出手段によって検出されたＩＤタグを持つユーザとの間で会話が成立しているか否かを判断する会話判断手段と、
前記会話判断手段によって会話が成立すると判断された場合に、前記ユーザ情報取得手段によって得られたユーザ情報に基づいて、前記データ保持手段に保持されたデータを自端末の使用者の近くに存在する他のユーザが持つ端末装置に送信するデータ送信手段と
を具備したことを特徴とする端末装置。
【請求項９】
各ユーザが使用を割り当てられた端末装置にネットワークを介して接続されたサーバ装置であって、
各ユーザが使用を割り当てられた端末装置と各ユーザに付けられたＩＤタグに関する情報を管理する第１の管理テーブルと、
前記ＩＤタグの情報を非接触で検出するタグ検出装置の設置位置に関する情報を管理する第２の管理テーブルと、
前記タグ検出装置によって検出されたＩＤタグに基づいて前記第２の管理テーブルを検索し、互いに近くに存在するユーザのグループを検出するグループ検出手段と、
このグループ検出手段によって検出されたグループ内の各ユーザが持つ端末装置を前第１の管理テーブルから特定する端末特定手段と、
この端末特定手段によって特定された各ユーザの端末装置から前記タグ検出装置によるＩＤタグの検出期間中に操作されたデータを取得する操作データ取得手段と、
前記各ユーザ間で会話が成立しているか否かを判断する会話判断手段と、
前記会話判断手段によって会話が成立すると判断された場合に、前記操作データ取得手段によって得られた各データを前記各ユーザの端末装置に送信するデータ送信手段と
を具備したことを特徴とするサーバ装置。
【請求項１０】
各ユーザが使用を割り当てられた端末装置と各ユーザに付けられたＩＤタグに関する情報を管理するサーバ装置にネットワークを介して他の端末装置と共に接続された端末装置を制御するためのコンピュータによって実行されるプログラムであって、
前記コンピュータに、
自端末の使用者以外のユーザに付けられたＩＤタグを検出する機能と、
前記ＩＤタグの検出期間中に操作されたデータを共有用として所定のメモリに保持する機能と、
前記ＩＤタグを持つユーザの情報を前記サーバ装置に問い合わせて取得する機能と、
自端末の使用者と前記検出されたＩＤタグを持つユーザとの間で会話が成立しているか否かを判断する機能と、
前記会話が成立すると判断された場合に、前記サーバ装置から得られたユーザ情報に基づいて、前記メモリに保持されたデータを自端末の使用者の近くに存在する他のユーザが持つ端末装置に送信する機能と
を実現するためのコンピュータ読み取り可能なプログラム。
【請求項１１】
各ユーザが使用を割り当てられた端末装置にネットワークを介して接続されたサーバ装置を制御するためのコンピュータによって実行されるプログラムであって、
前記コンピュータに、
各ユーザが使用を割り当てられた端末装置と各ユーザに付けられたＩＤタグに関する情報を第１の管理テーブルに記憶する機能と、
前記ＩＤタグの情報を非接触で検出するタグ検出装置の設置位置に関する情報を第２の管理テーブルに記憶する機能と、
前記タグ検出装置によって検出されたＩＤタグに基づいて前記第２の管理テーブルを検索し、互いに近くに存在するユーザのグループを検出する機能と、
前記グループ内の各ユーザが持つ端末装置を前第１の管理テーブルから特定する機能と、
前記各ユーザの端末装置から前記タグ検出装置によるＩＤタグの検出期間中に操作されたデータを取得する機能と、
前記各ユーザ間で会話が成立しているか否かを判断する機能と、
前記会話が成立すると判断された場合に、前記取得した各データを前記各ユーザの端末装置に送信する機能と
を実現するためのコンピュータ読み取り可能なプログラム。
【手続補正２】
【補正対象書類名】明細書
【補正対象項目名】００１３
【補正方法】変更
【補正の内容】
【００１３】
本発明の請求項８に係る端末装置は、各ユーザが使用を割り当てられた端末装置と各ユーザに付けられたＩＤタグに関する情報を管理するサーバ装置にネットワークを介して接続された端末装置であって、自端末の使用者以外のユーザに付けられたＩＤタグを検出するタグ検出手段と、このタグ検出手段によるＩＤタグの検出期間中に操作されたデータを共有用として保持するデータ保持手段と、前記タグ検出手段によって検出されたＩＤタグを持つユーザの情報を前記サーバ装置に問い合わせて取得するユーザ情報取得手段と、自端末の使用者と前記タグ検出手段によって検出されたＩＤタグを持つユーザとの間で会話が成立しているか否かを判断する会話判断手段と、前記会話判断手段によって会話が成立すると判断された場合に、前記ユーザ情報取得手段によって得られたユーザ情報に基づいて、前記データ保持手段に保持されたデータを自端末の使用者の近くに存在する他のユーザが持つ端末装置に送信するデータ送信手段とを具備したことを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明の請求項９に係るサーバ装置は、各ユーザが使用を割り当てられた端末装置にネットワークを介して接続されたサーバ装置であって、各ユーザが使用を割り当てられた端末装置と各ユーザに付けられたＩＤタグに関する情報を管理する第１の管理テーブルと、前記ＩＤタグの情報を非接触で検出するタグ検出装置の設置位置に関する情報を管理する第２の管理テーブルと、前記タグ検出装置によって検出されたＩＤタグに基づいて前記第２の管理テーブルを検索し、互いに近くに存在するユーザのグループを検出するグループ検出手段と、このグループ検出手段によって検出されたグループ内の各ユーザが持つ端末装置を前第１の管理テーブルから特定する端末特定手段と、この端末特定手段によって特定された各ユーザの端末装置から前記タグ検出装置によるＩＤタグの検出期間中に操作されたデータを取得する操作データ取得手段と、前記各ユーザ間で会話が成立しているか否かを判断する会話判断手段と、前記会話判断手段によって会話が成立すると判断された場合に、前記操作データ取得手段によって得られた各データを前記各ユーザの端末装置に送信するデータ送信手段とを具備したことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明の請求項１０に係るプログラムは、各ユーザが使用を割り当てられた端末装置と各ユーザに付けられたＩＤタグに関する情報を管理するサーバ装置にネットワークを介して他の端末装置と共に接続された端末装置を制御するためのコンピュータによって実行されるプログラムであって、前記コンピュータに、自端末の使用者以外のユーザに付けられたＩＤタグを検出する機能と、前記ＩＤタグの検出期間中に操作されたデータを共有用として所定のメモリに保持する機能と、前記ＩＤタグを持つユーザの情報を前記サーバ装置に問い合わせて取得する機能と、自端末の使用者と前記検出されたＩＤタグを持つユーザとの間で会話が成立しているか否かを判断する機能と、前記会話が成立すると判断された場合に、前記サーバ装置から得られたユーザ情報に基づいて、前記メモリに保持されたデータを自端末の使用者の近くに存在する他のユーザが持つ端末装置に送信する機能とを実現するためのコンピュータ読み取り可能なプログラムである。
【手続補正７】
【補正対象書類名】明細書
【補正対象項目名】００１８
【補正方法】変更
【補正の内容】
【００１８】
本発明の請求項１１に係るプログラムは、各ユーザが使用を割り当てられた端末装置にネットワークを介して接続されたサーバ装置を制御するためのコンピュータによって実行されるプログラムであって、前記コンピュータに、各ユーザが使用を割り当てられた端末装置と各ユーザに付けられたＩＤタグに関する情報を第１の管理テーブルに記憶する機能と、前記ＩＤタグの情報を非接触で検出するタグ検出装置の設置位置に関する情報を第２の管理テーブルに記憶する機能と、前記タグ検出装置によって検出されたＩＤタグに基づいて前記第２の管理テーブルを検索し、互いに近くに存在するユーザのグループを検出する機能と、前記グループ内の各ユーザが持つ端末装置を前第１の管理テーブルから特定する機能と、前記各ユーザの端末装置から前記タグ検出装置によるＩＤタグの検出期間中に操作されたデータを取得する機能と、前記各ユーザ間で会話が成立しているか否かを判断する機能と、前記会話が成立すると判断された場合に、前記取得した各データを前記各ユーザの端末装置に送信する機能とを実現するためのコンピュータ読み取り可能なプログラムである。